(57)【要約】      （修正有）【課題】一体化された格納領域を備えたサイドレールを含む人体支持装置を提供する。【解決手段】人体支持装置１０は、下フレーム１２と結合された複数のサポート１４と、下フレーム１２の上方でサポート１４上に支持される上フレーム１６とを含み、上フレーム１６は中間フレーム２０、デッキ２２にサイドレール連結部３４により結合されたサイドレール２４を含む。サイドレール２４は、サイドレール体３２を具備し、その中に一体化された格納領域４４を有する。格納領域４４は、底面、少なくとも一つの側面、および開口部を有する。格納領域４４は、その中に少なくとも一つの物体を取り出し可能に保持するように構成されている。【選択図】図１
2011019911.tif 000002
【特許請求の範囲】
【請求項１】
人をその上に支持するよう構成されたフレームと、
前記フレームに結合されるエンドボードと、
前記フレームに結合されるサイドレールとを備え、
前記サイドレールは第１表面および第２表面を有するサイドレール体を含み、前記第１表面は前記第１表面が前記フレームの方に面するような向きとされ、前記第２表面は前記第２表面が前記フレームとは反対に面するような向きとされ、前記第１表面、前記第２表面、および前記エンドボードのうち少なくとも一つはその中に一体化された格納領域を有し、前記格納領域は底面、少なくとも一つの側面、および開口部を含む、
人体支持装置。
【請求項２】
前記格納領域は、前記格納領域に一つ以上の物体を維持する保持要素を含む、請求項１に記載の人体支持装置。
【請求項３】
前記保持要素は、前記開口部の少なくとも一部を覆うよう構成されたカバーである、請求項２に記載の人体支持装置。
【請求項４】
前記保持要素は、前記開口部の少なくとも一部にわたって延びる縦方向に延在する部材である、請求項２に記載の人体支持装置。
【請求項５】
前記保持要素は、第２の開口部を画成するよう前記底面から所定距離だけ離間している、請求項２に記載の人体支持装置。
【請求項６】
前記保持要素は、前記底面および前記少なくとも一つの側面のうちの少なくとも１つに一体化した突起である、請求項２に記載の人体支持装置。
【請求項７】
前記格納領域は、前記第１表面および前記第２表面のうち少なくとも一つから、凹んでいること、および、延在していることのうちの少なくとも一である、請求項１に記載の人体支持装置。
【請求項８】
前記格納領域は、前記フレーム上で支持されている人の少なくとも一つの身の回り品を受容し、取り出し可能に保持するよう構成される、請求項１に記載の人体支持装置。
【請求項９】
前記格納領域は、介護者の少なくとも一つの物体を受容し、取り出し可能に保持するよう構成される、請求項１に記載の人体支持装置。
【請求項１０】
サイドレール体を備えたサイドレールを含み、
前記サイドレール体はその中に一体化された格納領域を有し、前記格納領域は、底面、少なくとも一つの側面、および開口部を有し、前記格納領域はその中に少なくとも一つの物体を取り出し可能に保持するよう構成されている、
サイドレール組立体。
【請求項１１】
前記サイドレール体は、第１表面、前記第１表面と実質的に平行な第２表面、および略前記第１表面と前記第２表面との間に延在する第３表面を含み、前記第１表面と前記第２表面は第１距離だけ離間しており、前記格納領域は前記第１表面、前記第２表面、および前記第３表面のうち少なくとも一つから第２距離だけ凹んでいる、請求項１０に記載のサイドレール組立体。
【請求項１２】
前記サイドレールは、グリップ、および前記グリップと前記サイドレール体の間に配置されたグリップ開口部を有するグリップ部分を含み、前記グリップは人により把持されることができるように構成される、請求項１０に記載のサイドレール組立体。
【請求項１３】
前記格納領域は、前記開口部が前記グリップ開口部へと開くよう、前記サイドレール体の中へと凹んでいる、請求項１０に記載のサイドレール組立体。
【請求項１４】
前記サイドレール体は、第１表面、前記第１表面と実質的に平行な第２表面、および略前記第１表面と前記第２表面との間に延在する第３表面を含み、前記第１表面と前記第２表面は第１距離だけ離間しており、前記格納領域は、前記第１表面、前記第２表面、および前記第３表面のうち少なくとも一つから第２距離だけ延びている、請求項１０に記載のサイドレール組立体。
【請求項１５】
前記第１距離と前記第２距離の合計は、約７．６２センチメートル（約３インチ）未満である、請求項１４に記載のサイドレール組立体。
【請求項１６】
前記格納領域は、個人の所持品および手持ちの物のうち少なくとも一つを受容し、取り出し可能に保持するよう構成される、請求項１０に記載のサイドレール組立体。
【請求項１７】
前記格納領域は、前記格納領域内に一つ以上の物体を取り出し可能に保持する保持要素を含む、請求項１０に記載のサイドレール組立体。
【請求項１８】
前記格納領域は、前記少なくとも一つの側面の一部と前記底面との間に第２の開口部を含む、請求項１０に記載のサイドレール組立体。
【請求項１９】
第１表面、第１表面と概して平行な第２表面、および略前記第１表面と前記第２表面の間に延在する第３表面を有するサイドレール体を含むサイドレールを備え、
前記第１表面と前記第２表面は第１距離だけ離間しており、前記サイドレール体は、底面、少なくとも一つの側面、および開口部を有する格納領域を含み、前記格納領域は、前記第１表面、前記第２表面、および前記第３表面のうち少なくとも一つから第２距離だけ、凹んでいること、および、延びていることのうち少なくとも一つとなるよう前記サイドレール体に一体化されている、
人体支持装置用のサイドレール組立体。
【請求項２０】
前記第１距離は、約３．８１センチメートル（約１.５インチ）乃至約７．６２センチメートル（約３インチ）である、請求項１９に記載の人体支持装置。
【請求項２１】
前記格納領域は、前記第１距離と前記第２距離の和が約７．６２センチメートル（約３インチ）未満になるよう、前記第１表面、前記第２表面、および前記第３表面のうち少なくとも一つから前記第２距離だけ延びる、請求項１９に記載の人体支持装置。
【請求項２２】
前記格納領域は、前記第１表面、前記第２表面、および前記第３表面のうち少なくとも一つから、約１．２７センチメートル（約０.５インチ）乃至約３．８１センチメートル（約１.５インチ）の距離だけ延びる、請求項２１に記載の人体支持装置。
【請求項２３】
前記格納領域は、前記第１表面、前記第２表面、および前記第３表面のうち少なくとも一つから、略第１距離よりも短い距離だけ凹んでいる、請求項１９に記載の人体支持装置。
【請求項２４】
前記格納領域は、前記第１表面、前記第２表面、および前記第３表面のうち少なくとも一つから、約１．９１センチメートル（約０.７５インチ）乃至約２．５４センチメートル（約１インチ）の距離だけ凹んでいる、請求項２３に記載の人体支持装置。
【請求項２５】
前記格納領域は、少なくとも一つの物体を前記格納領域内に取り出し可能に保持するよう構成された保持要素を含む、請求項１９に記載の人体支持装置。
【請求項２６】
前記保持要素は、第２開口部を画成するよう前記底面から離間している、請求項２５に記載の人体支持装置。
【発明の詳細な説明】
【技術分野】
【０００１】
＜関連する出願への相互参照＞
本願は、２００９年７月１５日に出願された「格納領域を備えたサイドレール」なる名称の米国仮出願第６１／２２５，９２１号に基づき優先権を主張するものであり、その内容を本明細書に援用する。
【０００２】
＜技術分野＞
本開示は、概して人体支持装置に関連する。より詳細に、しかし限定的でなく、１つの例示的な実施例は、一体化された格納領域を備えたサイドレールを含む人体支持装置に関連する。
【背景技術】
【０００３】
入院中の患者は多くの場合、身の回り品を持参する。身の回り品は、介護者が集め、その患者が退院するまで、または必要とするまで保管されうる。身の回り品は、例えば、ロッカー、収納用ケース、引き出し、および／または患者の病室番号などの識別情報を記載した袋、ならびに／あるいは品目リストおよび／またはケース、ロッカー、または袋番号および／または患者のカルテに記載された場所などの格納領域に保管されうる。また、割り当てられた部屋の中（例えば、様々な棚や引き出しおよび／またはクローゼットなどの他の家具にある格納領域）に、身の回り品や他の物を保管する格納領域を提供することもできる。様々な人体支持装置が開発されてきたが、未だ改善の余地がある。従って、この技術分野における更なる寄与が必要とされている。
【発明の概要】
【課題を解決するための手段】
【０００４】
本発明の開示には、添付の請求の範囲に詳述されている一つ以上の特徴および／または単独または任意の組み合わせで、特許性のある主題を含み得る、以下の特徴が含まれる。  
本開示の１つの例示的な実施例は、その中に物体を収納する格納領域を画成する凹んだ部分を有するサイドレールを含み得る。  
更なる特徴は、単独で、または上記のものおよび請求項に記載されているものおよび以下に詳述されているものを含む他の任意の特徴との組み合わせで、特許性のある主題を構成し得る。その他は、現在認識されている本発明を実施する最良の形態を例証している例示的な実施例の以下の詳細な説明を鑑みることで、当業者に明らかとなろう。
【図面の簡単な説明】
【０００５】
【図１】本開示の一実施例による人体支持装置のフレームに結合されるサイドレールを備えた人体支持装置の側面斜視図である。
【図２】本開示の別の実施例による人体支持装置のフレームに結合されるサイドレールを備えた人体支持装置の側面斜視図である。
【図３】本開示の一実施例による頭部サイドレールの第１表面にある格納領域を含む、図１の頭部サイドレールの側面斜視図である。
【図４】本開示の一実施例による頭部サイドレールの第２表面にある格納領域を含む、図１の頭部サイドレールの側面斜視図である。
【図５】本開示の一実施例による格納領域を含む、図１の足部サイドレールの側面斜視図である。
【図６】本開示の一実施例による格納領域を含む、図１のサイドレールの側面斜視図である。
【図７】本開示の別の実施例による格納領域を含む、図１のサイドレールの側面斜視図である。
【図８】本発明の開示のまた別の実施例による格納領域を含む、図１のサイドレールの側面斜視図である。
【図９】本発明の開示のまた別の実施例による格納領域を含む、図１のサイドレールの側面斜視図である。
【図１０】本発明の開示のまた別の実施例による格納領域を含む、図１のエンドボードの側面斜視図である。
【発明を実施するための形態】
【０００６】
次に、図面の図解例では、同様の番号は全体を通して、同じまたは同様の要素を表す。
【０００７】
本開示は様々な形をとりうるが、本開示の原理の理解を促すため、ここで図示の実施例を参照することとし、これを説明するために特定の文言を用いるものとする。それにより本開示の範囲を制限することを意図するものではない。ここに記載の通り、様々な変更、記載された実施例の更なる修正、および本開示の原理の更なる適用が考えられる。
【０００８】
本開示の１つの例示的な実施例は、その中に物体を収納する格納領域を画成する凹んだ部分を備えたサイドレールを含み得る。他の例示的な実施例は、その中に物体を収納する格納領域を画成する凹んだ部分およびその格納領域に物体を維持する保持要素を備えたサイドレールを含み得る。
【０００９】
本開示の１つの例示的な実施例による人体支持装置１０は、図１および図２に示されている。人体支持装置１０は、人の頭を置くことができる第１セクションＦ１すなわち頭支持セクションＦ１と、人の足を置くことができる第２セクションＳ１すなわち足支持セクションＳ１とを有しうる。第１セクションＦ１および第２セクションＳ１は同一のセクションの一部であり得ることが理解されるべきである。１つの例示的な実施例において、人体支持装置１０は病院用ベッドであり得る。人体支持装置１０は、病院用担架または手術台でもあり得ることが理解されるべきである。人体支持装置１０は、下フレーム１２すなわちベース１２と、下フレーム１２と結合された複数のサポート１４と、下フレーム１２の上方でサポート１４上に支持される上フレーム１６とを含みうる。サポート１４は、下フレーム１２に対して上フレーム１６を移動させうる昇降機構１４であり得ることが理解されるべきである。また、例示の一実施例において、人体支持装置１０は、その上に人体支持面１８を支えることができることが理解されるべきである。
【００１０】
上フレーム１６は、図１および図２に示すように、中間フレーム２０、デッキ２２、サイドレール２４、およびエンドボードＥＢ１を含みうる。中間フレーム２０は、図１および図２に示すように、サポート１４と結合されえ、その上にデッキ２２を支えることができる。デッキ２２は、頭部分２６、座部分２８、および足部分３０を含みうる。頭部分２６、座部分２８、および足部分３０は、相互に、および／または、中間フレーム２０と、移動可能に結合されうる。
【００１１】
図１乃至図９に示すように、サイドレール２４は、上部分ＳＴ１および下部分ＳＢ１を備えたサイドレール体３２と、サイドレール連結部３４とを含みうる。１つの例示的な実施例において、サイドレール２４は、約３．８１センチメートル（約１.５インチ）乃至約５．０８センチメートル（約２インチ）の厚さＴＳ１を有しうる。サイドレール２４は、約７．６２センチメートル（３インチ）未満の厚さＴＳ１を有しうることが理解されるべきである。サイドレール連結部３４は、サイドレール体３２の下部分ＳＢ１に結合されえ、サイドレール２４をデッキ２２および／または中間フレーム２０に結合することができる。１つの例示的な実施例において、図１に示すように、サイドレール２４は、デッキ２２の頭部分２６（言い換えると、第１サイドレール２４ａすなわち頭部サイドレール２４ａ）に結合されえ、および／または、デッキ２２の足部分３０および／または中間フレーム２０（言い換えると、第２サイドレール２４ｂすなわち足部サイドレール２４ｂ）に結合されうる。サイドレール連結部３４は、展開／動作時の位置と格納位置との間でサイドレール２４の動きを容易にするよう構成することができる。図１に示すように、展開／動作時の位置の場合、サイドレール２４は上フレーム１６の上になるようにすることができる。格納位置の場合、サイドレール２４は展開／動作時の位置の下方のより低い位置へ移動されうる。サイドレール連結部３４は、ロックした場合にサイドレール２４を動作時および／または格納位置の何れかに保つことができ、ロックされていない場合に動作時の位置と格納位置との間でサイドレール２４の動作を容易にできるロック機構（図示せず）を含みうることが理解されるべきである。
【００１２】
図１乃至図９に示すように、サイドレール体３２は、第１表面３６、第２表面３８、第１表面３６と第２表面３８の間に延在する側面４０、グリップ部分４２、および格納領域４４を含みうる。サイドレール２４は、人体支持装置１０の様々な機能を制御するために操作可能な介護者インターフェイス（図示せず）を含みうることが理解されるべきである。第１表面３６および第２表面３８は、互いに実質的に平行でありうる。第１表面３６は、第１表面３６が人体支持面１８上で支えられる人の方に面するような向きとすることができ、第２表面３８は、第２表面３８が人体支持装置１０上で支えられる人とは反対に面するような向きとすることができる。
【００１３】
図１乃至図９に示すように、グリップ部分４２は、人体支持装置１０からの出入りを助けるようその人によって把持されるよう構成することができる。１つの例示的な実施例において、図１乃至図９に示すように、グリップ部分４２は、上部分ＳＴ１に沿って配置されえ、グリップ４６とサイドレール体３２を通りうるグリップ開口部４８とを含み、人が自分の指／手の少なくとも一部でグリップ４６をつかむことができるように構成されうる。グリップ部分３２は、人が自分の指でグリップ４６の回りを部分的につかむことができるようにグリップ開口部４８内に配置されうるグリップ開口部カバー（図示せず）またはネット（図示せず）を含みうることが理解されるべきである。１つの例示的な実施例において、グリップ開口部４８の上部分はグリップ４６の底面を画成でき、グリップ開口部４８の上部分とは反対側のグリップ開口部４８の下部分は上部側面４０ａの一部を画成できる。
【００１４】
格納領域４４は、図１乃至図１０に示すように一つ以上の物体を保持するよう構成されうる。格納領域４４は、サイドレール体３２の全幅が約７．６２センチメートル（約３インチ）未満であるよう、第１表面３６および／または第２表面３８から突出しうる部分を含み得ることが理解されるべきである。格納領域４４は、人体支持装置１０上に支えられる人が手の届くところに身の回り品ＰＢ１を格納することを可能にし、それにより介護者がその人の身の回り品ＰＢ１を取りに行くために費やす時間を減らすことができる。一つ以上の身の回り品ＰＢ１は、めがね、宝飾品類、入れ歯、写真、音楽を聴くための装置、ヘッドホン、携帯電話、雑誌、本、個人用システム手帳、ペン／鉛筆、ティッシュ、洗面用具、または他の個人用電子機器、身の回り品または物体のうちの少なくとも一つであるか、少なくとも一つを含み得る。一つ以上の身の回り品は、医療診断機器、薬剤、処置または薬剤投与用の機器、注射器、包帯、記録用具、ペン／鉛筆、他の介護者用器具、装置、用具などの介護者のものも含み得る。
【００１５】
１つの例示的な実施例において、図１乃至図９に示すように、格納領域４４は、サイドレール体３２の中へと凹んでいてもよく、格納領域の底部５０、格納領域の背部５２、格納領域の側面５４、および保持要素５６を含み得る。別の例示的な実施例において、図１０に示すように、格納領域４４はエンドボードＥＢ１の中へと凹んでいてもよい。格納領域４４の一部がサイドレール体３２および／またはエンドボードＥＢ１から延びうることが理解されるべきである。また、格納領域の背部５２および格納領域の側面５４の少なくとも一部を透明とすることができることが理解されるべきである。さらに、格納領域４４は、格納領域４４の清掃を容易とするために、格納領域の底部５０の一部と、格納領域の背部５２および格納領域の側面５４のうち少なくとも一つの一部との間に、開口部（図示せず）を含み得ることも理解されるべきである。
【００１６】
１つの例示的な実施例において、図１乃至図３、および、図５乃至図７に示すように、格納領域の背部５２は、サイドレール２４の第１表面３６から約１．９１センチメートル（約０.７５インチ）乃至約２．５４センチメートル（約１インチ）だけサイドレール体３２の中へと凹んでいることができ、約１６．５１センチメートル（約６.５インチ）乃至約１７．７８センチメートル（約７インチ）の幅と、格納領域の底部５０から上側面４０ａへ延びる約８．８９センチメートル乃至約１０．１６センチメートル（約３.５インチ乃至４インチ）の高さとを有することができる。他の例示的な実施例において、図４に示すように、格納領域４４は、サイドレール２４の第２表面３８から約１．９１センチメートル（約インチ）乃至約２．５４センチメートル（約１インチ）だけサイドレール体３２の中へと凹んでいることができ、約１６．５１センチメートル（約６.５インチ）乃至約１７．７８センチメートル（約７インチ）の幅と、格納領域の底部５０から上側面４０ａへ延びる約８．８９センチメートル乃至約１０．１６センチメートル（約３.５インチ乃至４インチ）の高さとを有することができる。また他の例示的な実施例において、図８に示すように、格納領域４４は、第１表面３６と第２表面３８との間に格納領域の側面５４が位置しうるよう、第１表面３６と第２表面３８との間でサイドレール体３２の中へと凹んでいることができ、格納領域の底部５０は約８．８９センチメートル（約３.５インチ）乃至約１０．１６センチメートル（約４インチ）だけ上側面４０ａから凹みうる。さらに他の実施例において、図１０に示すように、格納領域４４はエンドボードＥＢ１の表面から約３０．４８センチメートル（約１２インチ）だけ延びることができ、および／または、エンドボードＥＢ１の中へと約１．９１センチメートル（約０.７５インチ）乃至約２．５４センチメートル（約１インチ）だけ凹むことができる。格納領域４４の高さ、幅、奥行きは上述の値よりも大きくまたは少なくできることが理解されるべきである。また、図１乃至図１０に示すように、格納領域４４は、頭部サイドレール２４ａ、足部サイドレール２４ｂ、および／またはエンドボードＥＢ１上に配置されうることが理解されるべきである。さらに、サイドレール体３２は、一つ以上の格納領域４４をその上に含みうることも理解されるべきである。
【００１７】
保持要素５６は、図１乃至図１０に示すように、格納領域４４内に身の回り品ＰＢ１または他の物体を保持するよう構成することができる。１つの例示的な一実施例において、図２乃至図５に示すように、保持要素５６は、面ファスナー（フックおよびループファスナー）または輪ゴムなどのストラップまたはバンドのうちの少なくとも一つであるか、または少なくとも一つを含み得る。また他の例示的な実施例において、保持要素５６は、図６に示すようにプレートであってもよい。さらに他の例示的な実施例において、保持要素５６は、図７に示すようにカバーであってもよい。カバーの少なくとも一部を透明にすることができることが理解されるべきである。また他の例示的な実施例において、保持要素５６は、格納領域の底部５０および／または格納領域の側面５４と一体とされうる突起またはフランジ（図示せず）であってもよい。その他の例示的な実施例において、保持要素５６は、ロッド（図示せず）、ネット、またはその他の保持機構とすることができる。
【００１８】
保持要素５６は、図１乃至図９に示すように、格納領域４４の幅にわたって延在し、格納領域４４が第１表面３６に配置されている場合はサイドレール体３２の第１表面３６と結合するように、格納領域４４が第２表面３８に配置されている場合はサイドレール体３２の第２表面３８と結合するように構成することができる。保持要素は、サイドレール体と一体にできることが理解されるべきである。１つの例示的な実施例において、保持要素５６は、格納領域の底部５０と保持要素５６との間に隙間空間５８があるよう、格納領域４４にわたって延在するように構成されうる。隙間空間５８は、清掃のため格納領域４４へのアクセスができるよう構成されうる。
【００１９】
本開示の多くの他の実施例も想定されている。例えば、人体支持装置は、フレームおよびサイドレールを具備する。フレームは、人をその上に支持するよう構成されている。サイドレールは、フレームに結合されている。サイドレールは、第１表面および第２表面を有するサイドレール体を含む。第１表面は、第１表面がフレームの方に面するような向きとされ、第２表面は、第２表面がフレームとは反対に面するような向きとされる。第１表面および第２表面のうち少なくとも一つは、その中に一体化された格納領域を有する。格納領域は、底面、少なくとも一つの側面、および開口部を含む。
【００２０】
他の例では、サイドレール組立体は、サイドレール体を備えたサイドレールを含む。サイドレール体は、その中に一体化された格納領域を有する。格納領域は、底面、少なくとも一つの側面、および開口部を有する。格納領域は、その中に少なくとも一つの物体を取り出し可能に保持するように構成されている。
【００２１】
また他の例では、人体支持装置用のサイドレール組立体はサイドレールを備える。サイドレールは、第１表面、第１表面に対して概して平行な第２表面、および略第１表面と略第２表面の間に延在する第３表面を有するサイドレール体を含む。第１表面と第２表面は、第１距離だけ離間している。サイドレール体は、底面、少なくとも一つの側面、および開口部を有する格納領域を含む。格納領域は、第１表面、第２表面、および第３表面の少なくとも一つから第２距離だけ凹んでいること、および、延びていることのうちの少なくとも１つとなるようサイドレール体に一体化されている。
【００２２】
本文中に記載された如何なる理論、操作機構、証拠、または所見も、本開示の原理の理解をさらに深める意味のものであり、本開示を如何なる方法でも当該の理論、操作機構、例示的な実施例、証拠、または所見に依存させることを意図していない。上記の記述中において、好ましい、好ましくは、好まれるという文言の使用は、そのように記された特徴がより望ましいことを示すが、それにもかかわらず必要とされるのではなく、これを欠いた実施例も本発明の範囲内であるとして考慮し、その範囲は以下の請求項により定義されるものとして理解すべきである。
【００２３】
請求項を読む際、「一つの」、「少なくとも一つの」、「少なくとも一部の」などの文言が使用されている場合、請求項に特にそれ以外の記載がない限り、一つの項目のみに請求項を限定する意図は一切ない。「少なくとも一部」および／または「一部」という文言が使用されている場合、特にそれに反する記載がない限り、該項目は一部および／または全項目を含み得る。
【００２４】
選択された実施例のみが図示および記載されており、本明細書で定義されるかまたは以下の任意の請求項により定義されている本開示の精神の範囲内に当たるすべての可能な変形例、変更態様、態様、組み合わせ、原理、バリエーション、および同等物が保護されることが望まれていることが理解されるべきである。本開示の実施例は、図面および前述の記載に図示され詳述されているが、これらは例示的なものと見做されるべきであり、本開示を網羅すること、または、開示された厳密な形式に限定することを意図してはいない。当業者には、付加的な変更、修正、およびバリエーションが明らかとなろう。また、複数の発明の解釈および原理を提示したが、これらは組み合わせで利用される必要はなく、上記の様々な実施例を踏まえ、発明の解釈および原理の様々な組み合わせが可能である。
【図１】
2011019911.tif 000003
【図２】
2011019911.tif 000004
【図３】
2011019911.tif 000005
【図４】
2011019911.tif 000006
【図５】
2011019911.tif 000007
【図６】
2011019911.tif 000008
【図７】
2011019911.tif 000009
【図８】
2011019911.tif 000010
【図９】
2011019911.tif 000011
【図１０】
2011019911.tif 000012
【外国語明細書】
2011019911.tif 000013
2011019911.tif 000014
2011019911.tif 000015
2011019911.tif 000016
2011019911.tif 000017
2011019911.tif 000018
2011019911.tif 000019
2011019911.tif 000020
2011019911.tif 000021
2011019911.tif 000022
2011019911.tif 000023
2011019911.tif 000024
2011019911.tif 000025
2011019911.tif 000026
2011019911.tif 000027
2011019911.tif 000028
2011019911.tif 000029
2011019911.tif 000030
2011019911.tif 000031
2011019911.tif 000032
2011019911.tif 000033
2011019911.tif 000034
2011019911.tif 000035
2011019911.tif 000036
2011019911.tif 000037
2011019911.tif 000038
2011019911.tif 000039
2011019911.tif 000040